(57)【要約】  本発明は、現在位置と現在位置の変更による時間差を補償し、照明の色温度制御を行うことにより、最適化された照明を提供する感性照明装置及びその制御方法を提供することを目的とする。したがって、本発明は最適の照明を提供することができる。【選択図】図２
2017500723.tif 000002
【特許請求の範囲】
【請求項１】
人工衛星（２００）から現在位置情報と標準時間情報を受信し、予め設定された照明の色温度制御信号を出力し、現在位置情報と標準時間情報を一定時間ごとに更新し、現在位置が変更された場合、変更された現在位置において標準時間の変更の可否を判断し、標準時間が変更される場合、位置変更による時間差を反映した照明の色温度が変更されるように制御する、照明装置（１００）を含むことを特徴とする感性照明装置。
【請求項２】
前記照明装置（１００）は、
人工衛星（２００）から現在位置情報と標準時間情報を含む衛星信号を受信する衛星信号受信部（１００）と、
前記衛星信号受信部（１００）が受信した衛星信号を分析して、現在位置情報と標準時間情報を検出し、前記検出された現在位置情報と標準時間情報によって、設定された照明の色温度情報を検索して、色温度制御信号を出力する制御部（１２０）と、
前記制御部が出力する色温度制御信号によって、光を発光する光源部（１３０）と、を含むことを特徴とする請求項１に記載の感性照明装置。
【請求項３】
前記衛星信号受信部（１００）は、
受信された衛星信号からＧＰＳ信号を検出して出力するＧＰＳ信号検出部（１１１）と、
前記受信された衛星信号から標準時間情報を検出して出力する標準時間の検出部（１１２）と、を含むことを特徴とする請求項２に記載の感性照明装置。
【請求項４】
前記制御部（１２０）は、
衛星信号受信部（１１０）が出力するＧＰＳ信号から現在位置の経度を検出し、前記標準時間情報から検出された経度に対応する現在位置の標準時間情報を検出する位置分析部（１２１）と、
前記位置分析部（１２１）が検出した現在位置と、現在位置の標準時間、季節、昼間、夜間、日の出及び日の入りの情報が反映された色温度制御情報を検索し、検索された色温度制御信号を光源部に出力する色温度制御部（１２２）と、を含むことを特徴とする請求項２に記載の感性照明装置。
【請求項５】
前記位置分析部（１２１）は、
検出された現在位置の経度と本初子午線との角度差を分析し、設定された現在位置における標準時間の変更の可否を決めることを特徴とする請求項４に記載の感性照明装置。
【請求項６】
前記色温度制御部（１２２）は、
日の入り以降から次の日の出までは、低い色温度が維持されるように、制御信号を出力し、
午前には、低い色温度から順次に高い色温度になるように、制御信号を出力し、
正午には、高い色温度が維持されるように、制御信号を出力し、
正午以降から日の入りまでには、高い色温度から順次に低い色温度になるように、制御信号を出力することを特徴とする請求項４に記載の感性照明装置。
【請求項７】
前記光源部（１３０）は、
低い色温度のワームホワイト光を発光する第１ＬＥＤモジュール（１３１）と、
高い色温度のクールホワイト光を発光する第２ＬＥＤモジュール（１３２）と、を含むことを特徴とする請求項２に記載の感性照明装置。
【請求項８】
前記照明装置（１００）は、
建物或は移動スーダンの中の何れか一つに設置され、現在位置情報と標準時間情報による照明の色温度制御信号を、出力することを特徴とする請求項１〜請求項７のいずれか一つに記載の感性照明装置。
【請求項９】
点灯信号が入力されると、制御部（１２０）が、人工衛星（２００）から現在位置情報と現在位置の標準時間情報を含んむ衛星信号を、衛星信号受信部（１１０）によって、受信するステップａ）と、
前記衛星信号が受信されると、前記制御部（１２０）は、受信された衛星信号を分析して現在位置情報と標準時間情報を検出し、現在位置と標準時間によって設定された色温度情報を検索して、光源部（１３０）に照明の色温度制御信号を出力するステップｂ）と、
前記制御部（１２０）が、衛星信号受信部（１１０）によって、現在位置情報と標準時間情報を更新して、現在位置の変更の可否を判断するステップｃ）と、
前記ステップｃ）の判断結果、現在位置の変更がない場合、前記制御部（１２０）は、前記ステップｂ）で設定された色温度制御信号を出力し、現在位置が変更された場合、変更された現在位置において標準時間の変更の可否を判断するステップｄ）と、
前記ステップｄ）の判断結果、標準時間の変更がない場合、前記制御部（１２０）は、前記ステップｂ）で設定された色温度制御信号を出力し、標準時間が変更された場合、位置変更による時間差を反映した照明の色温度が変更されるように光源部（１３０）を制御するステップｅ）と、を含むことを特徴とする感性照明装置の制御方法。
【請求項１０】
前記ステップｄ）における標準時間の変更の可否は、現在位置の経度と本初子午線との角度差によって決めることを特徴とする請求項９に記載の感性照明装置の制御方法。
【発明の詳細な説明】
【技術分野】
【０００１】
本発明は、感性照明装置及びその制御方法に関し、更に具体的に、現在位置と現在位置の変更による時間差を補償し、照明の色温度制御を行うことにより、最適化された照明を提供する感性照明装置及びその制御方法に関する。
【背景技術】
【０００２】
現代の住居環境の発達にしたがって、室内照明は、既存の蛍光灯やハロゲンランプなどによる白色照明から、室内の照明の色、即ち色温度を多様に表現することにより、インテリア照明の高級化が進行されている。
【０００３】
特に、高級化されたインテリア照明についての一番代表的な照明機器として、発光ダイオード（ＬＥＤ）を光源にする照明装置を、適用しようとする努力が着実に進められている。
【０００４】
参照として、色温度（ｃｏｌｏｒ  ｔｅｍｐｅｒａｔｕｒｅ）は、光源の光を、数値的に表示する方法として、このような色温度は、理想的な黒体を加熱すると、暗赤色から、オレンジ色、黄色、白熱相になり、温度が上昇するほど青い光を発し、光の色調を、絶対温度の単位で表示することができると言われ、「ケルビン（Ｋ）」で表示する。
【０００５】
また、ＬＥＤは小型で効率がよく、鮮かな色相の光を発光することができる素子であり、かつ半導体素子であるから、損傷の心配が少なく、初期の駆動特性及び耐震性が優秀で、またＯＮ／ＯＦＦ点灯のような繰り返しに、強いという長所を持っている。
【０００６】
前記ＬＥＤを利用して製作された照明装置は、部屋や事務室のメイン灯器具、卓上用のスタンドなどにたくさん使われ、このような実施形態で、もっと発展した形態としてドグァンパンを利用した照明タイルなどを例示することができる。
【０００７】
このような照明装置は、多数のＬＥＤが実装されたＬＥＤモジュールを、一定の配列でいくつ配置し、前記ＬＥＤモジュールを、空間の天井や壁面などに設置して構成される。
【０００８】
最近、特許文献１（発明の名称：気象及び時間情報を利用して感性照明を制御するための装置及びその方法）には、気象及び時間情報を利用して感性照明を制御する装置と其の方法が提案されたいて、情報提供サーバーから、気象情報と時間情報を提供され、これに基づいて、多数の電子機器、例えば照明機器及びホームネットワーク機器を、感性照明シナリオによって、制御することにより、感性照明を能動的に演出することができる。
【０００９】
しかし、このような感性照明装置は、単純に気象情報と時間情報が検出されると、検出されたシナリオによって、予め設定されたパラメーターによって照明機器を制御するだけであり、照明装置の位置が変更されるか、或は時間情報が変更されると、適切な照明を提供することができない問題がある。
【００１０】
また、従来の照明装置は、予め設定された照明シナリオによって、一定の明るさで動作するだけで、使用者の現在位置及び時間とは関係なく、照明が提供されて、清い日の室外環境と類似である自然光を提供することができない問題がある。
【００１１】
また、従来の照明装置は、室内空間だけに適用されることで、長距離を移動する移動手段、即ちバス、列車、航空機、船舶には、長距離移動による時間差の発生から、時差ぼけによる不便を解消することができない問題がある。
【先行技術文献】
【特許文献】
【００１２】
【特許文献１】韓国特許公開番号第１０−２０１１−２２９８０号明細書
【発明の概要】
【発明が解決しようとする課題】
【００１３】
このような問題を解決するために、本発明は、現在位置と現在位置の変更による時間差を補償し、照明の色温度制御を行うことにより、最適化された照明を提供する感性照明装置及びその制御方法を提供することを目的とする。
【課題を解決するための手段】
【００１４】
前記の目的に達成するため、本発明は、感性照明装置であって、人工衛星から現在位置情報と標準時間情報を受信し、予め設定された照明の色温度制御信号を出力し、現在位置情報と標準時間情報を一定時間ごとに更新し、現在位置が変更された場合、変更された現在位置において標準時間の変更の可否を判断し、標準時間が変更される場合、位置変更による時間差を反映した照明の色温度が変更されるように制御する、照明装置を含む。
【００１５】
また、本発明に係る前記照明装置は、前記照明装置は、人工衛星から現在位置情報と標準時間情報を含む衛星信号を受信する衛星信号受信部と、前記衛星信号受信部が受信した衛星信号を分析して、現在位置情報と標準時間情報を検出し、前記検出された現在位置情報と標準時間情報によって、設定された照明の色温度情報を検索して、色温度制御信号を出力する制御部と、前記制御部が出力する色温度制御信号によって、光を発光する光源部と、を含むことを特徴とする。
【００１６】
また、本発明に係る前記衛星信号受信部は、受信された衛星信号からＧＰＳ信号を検出して出力するＧＰＳ信号検出部と、前記受信された衛星信号から標準時間情報を検出して出力する標準時間の検出部と、を含むことを特徴とする。
【００１７】
また、本発明に係る前記制御部は、衛星信号受信部が出力するＧＰＳ信号から現在位置の経度を検出し、前記標準時間情報から検出された経度に対応する現在位置の標準時間情報を検出する位置分析部と、前記位置分析部が検出した現在位置と、現在位置の標準時間、季節、昼間、夜間、日の出及び日の入りの情報が反映された色温度制御情報を検索し、検索された色温度制御信号を光源部に出力する色温度制御部と、を含むことを特徴とする。
【００１８】
また、本発明に係る前記位置分析部は、検出された現在位置の経度と本初子午線との角度差を分析し、設定された現在位置における標準時間の変更の可否を決めることを特徴とする。
【００１９】
また、本発明に係る前記色温度制御部は、日の入り以降から次の日の出までは、低い色温度が維持されるように、制御信号を出力し、午前には、低い色温度から順次に高い色温度になるように、制御信号を出力し、正午には、高い色温度が維持されるように、制御信号を出力し、正午以降から日の入りまでは、高い色温度から順次に低い色温度になるように、制御信号を出力することを特徴とする。
【００２０】
また、本発明係る前記光源部は、低い色温度のワームホワイト（Ｗａｒｍ  Ｗｈｉｔｅ）光を発光する第１ＬＥＤモジュールと、高い色温度のクールホワイト（Ｃｏｏｌ  Ｗｈｉｔｅ）光を発光する第２ＬＥＤモジュールを含むことを特徴にする。
【００２１】
また、本発明に係る前記照明装置は、建物或は移動スーダンの中の何れか一つに設置され、現在位置情報と標準時間情報による照明の色温度制御信号を、出力することを特徴とする。
【００２２】
また、本発明は、点灯信号が入力されると、制御部が、人工衛星から現在位置情報と現在位置の標準時間情報を含んむ衛星信号を、衛星信号受信部によって、受信するステップａ）と、前記衛星信号が受信されると、前記制御部は、受信された衛星信号を分析して現在位置情報と標準時間情報を検出し、現在位置と標準時間によって設定された色温度情報を検索して、光源部に照明の色温度制御信号を出力するステップｂ）と、前記制御部が、衛星信号受信部によって、現在位置情報と標準時間情報を更新して、現在位置の変更の可否を判断するステップｃ）と、前記ステップｃ）の判断結果、現在位置の変更がない場合、前記制御部は、前記ステップｂ）で設定された色温度制御信号を出力し、現在位置が変更された場合、変更された現在位置において標準時間の変更の可否を判断するステップｄ）と、前記ステップｄ）の判断結果、標準時間の変更がない場合、前記制御部は、前記ステップｂ）で設定された色温度制御信号を出力し、標準時間が変更された場合、位置変更による時間差を反映した照明の色温度が変更されるように光源部を制御するステップｅ）と、を含む。
【００２３】
また、本発明に係る前記ステップｄ）における標準時間の変更の可否は、現在位置の経度と本初子午線との角度差によって決めることを特徴とする。
【発明の効果】
【００２４】
本発明は、現在位置と現在位置の変更による時間差を補償して、色温度制御を行うことにより、最適の照明を提供することができる。
【００２５】
また、本発明は、位置変更による時間差が補償された照明制御によって、長距離の移動の時、時間差による不適応を減少させることができる。
【図面の簡単な説明】
【００２６】
【図１】本発明に係る感性照明装置の実施形態を示したブロック図である。
【図２】本発明に係る感性照明装置の構成を示したブロック図である。
【図３】本発明に係る感性照明の制御方法を示した流れ図である。
【発明を実施するための形態】
【００２７】
以下、添付された図面を参照しながら、本発明に係る感性照明装置及びその制御方法の好ましい実施形態を詳細に説明する。
【００２８】
図１は本発明係る感性照明装置の実施形態を示したブロック図であり、図２は本発明係る感性照明装置の構成を示したブロック図である。
【００２９】
図１及び図２に示したように、本発明に係る感性照明装置１００は、現在位置と現在位置の変更による時間差を補償して、色温度制御を行うことにより、最適の照明を提供するように、人工衛星２００から現在位置情報と標準時間情報を受信し、予め設定された照明の色温度制御信号を出力し、現在位置情報と標準時間情報を一定時間ごとに更新し、現在位置が変更される場合、変更された現在位置において標準時間の変更の可否を判断し、標準時間が変更される場合、位置変更による時間差を反映した照明の色温度が変更されるように制御し、衛星信号受信部１１０と、制御部１２０と、光源部１３０と、を含む。
【００３０】
また、前記照明装置１００は、建物の内／外部、または自動車と、バスと、航空機と、船舶などを含む移動手段に設置されることにより、現在位置での情報と現在位置においての標準時間情報による照明の色温度制御信号を出力する。
【００３１】
前記衛星信号受信部１１０は、多数の人工衛星２００から現在位置情報と標準時間情報を含んだ衛星信号を受信して、制御部１２０に出力する構成であって、ＧＰＳ信号検出部１１１と、標準時間の検出部１１２とを含む。
【００３２】
前記ＧＰＳ信号検出部１１１は、多数の人工衛星２００から受信された衛星信号からＧＰＳ信号を検出して座標値を出力する構成であって、現在位置情報を計算して提供する。
【００３３】
前記標準時間の検出部１１２は、受信された衛星信号から標準時間情報を検出して出力する構成であって、現在位置での時間を提供する。
【００３４】
前記制御部１２０は、衛星信号受信部１１０が受信した衛星信号を分析して現在位置情報と標準時間情報を検出し、前記検出された現在位置情報と標準時間情報によって設定された照明の色温度情報を検索して色温度制御信号を出力する構成であって、位置分析部１２１と、色温度制御部１２２とを含む。
【００３５】
前記位置分析部１２１は、衛星信号受信部１１０が出力するＧＰＳ信号から、現在位置の経度と緯度を検出し、前記標準時間情報から検出された経度と緯度に対応する現在位置の標準時間情報を検出する。
【００３６】
また、前記位置分析部１２１は、検出された現在位置の経度と本初子午線との角度差を分析して、現在設定された位置の標準時間の変更の可否を決める。
【００３７】
即ち、太平洋のほとんど中央部、おおよそ経度１８０゜に沿って、南北に設定された日付変更線を境界で、東と西の方から、日付が一日変わって、この時、平均の太陽時は、地球の各地点に固有したことで、東西にかけている各地点間において時間の差が生ずることで、経度１５゜ごとに１時間の割合で、東に沿って行くほど進むことである。
【００３８】
例えば、韓国の標準時（東径１３５゜の平均太陽時）として、１月１日０時は、東径１５０゜では、１日１時になり、東径１６５゜では、１日２時になり、ずっと東に回って本初子午線の経つグリニッジでは、１日１５時になり、また東に向け東京１２０゜では、１日２３時になることから、航空機などの移動手段を利用し移動する場合、位置による時間差が発生するようになる。
【００３９】
前記位置分析部１２１は、このような位置による時間差を反映するため、一定時間ごとに周期的に現在位置情報を更新し、前記更新された現在位置を、日付変更線或は本初子午線などの基準位置と比較する場合、時間差が発生するかの可否を判断し、前記判断結果、時間の変更が要らない場合、現在設定された時間情報が標準時間情報として出力されるようにし、時間変更が必要になる場合、現在設定された時間情報から１時間を加減して変更された時間情報が標準時間情報として出力されるようにする。
【００４０】
前記色温度制御部１２２は、位置分析部１２１が検出した経度及び緯度に基づいた現在位置と現在位置において標準時間、季節、昼間、夜間、日の出及び日の入りについての情報が反映された色温度制御情報を検索し、検索された色温度制御信号を光源部１３０に出力する構成であって、前記現在位置と現在位置において標準時間、季節、昼間、夜間、日の出及び日の入り情報が反映された色温度制御情報を保存した保存手段を含む。
【００４１】
また、前記色温度制御部１２２は、日の入り以降から次の日の出までは、低い色温度が維持されるように、低い色温度のワームホワイト光が発光されるように、制御信号を出力し、午前には、低い色温度で順次に高い色温度になるように、制御信号を出力し、正午には、高い色温度が維持されるように、高い色温度のクールホワイト光が発光されるように、制御信号を出力し、正午以降から日の入りまでには、高い色温度で順次に低い色温度になるように、制御信号を出力する。
【００４２】
これを更に詳細に説明すると、日の入り以降から次の日の出までは、光源部１３０が、ワームホワイト光だけ点灯されるようにし、色温度を約２５００Ｋ〜３０００Ｋになるように低く維持し、日の出以降から午前までには、前記光源部１３０のワームホワイト光と、クールホワイト光を調節して、色温度が約４５００Ｋ〜５０００Ｋほどになるように増加させ、正午には、前記光源部１３０がクールホワイト光だけ点灯し、色温度を約７０００Ｋ〜８０００Ｋになるように高く維持し、正午以降日から入りまでには、前記光源部１３０のワームホワイト光と、クールホワイト光とを調節して、色温度が約４５００Ｋ〜５０００Ｋ位になるように減少させる色温度制御信号を出力する。
【００４３】
前記光源部１３０は、制御部１２０が出力する色温度制御信号によって、光を発光する構成であって、低い色温度のワームホワイト光を発光する第１ＬＥＤモジュール１３１と、高い色温度のクールホワイト光を発光する第２ＬＥＤモジュール１３２とを含む。
【００４４】
図３は、本発明に係る感性照明制御方法を示した流れ図として、図１〜図３を参照しながら本発明に係る感性照明制御方法を説明する。
【００４５】
点灯信号が入力（Ｓ１００）されると、制御部１２０は、衛星信号受信部１１０によって多数の人工衛星２００から現在位置情報と現在位置の標準時間情報を含む衛星信号を受信（Ｓ１１０）する。
【００４６】
前記ステップＳ１１０において衛星信号が受信される場合、制御部１２０は、受信された衛星信号を分析し、現在位置情報と標準時間情報を検出（Ｓ１２０）し、現在位置と標準時間によって設定された色温度情報を、メモリーなどの保存手段から検索して、光源部１３０で照明の色温度制御信号を出力（Ｓ１３０）する。
【００４７】
前記制御部１２０は、一定時間ごとに衛星信号受信部１１０によって、現在位置情報と標準時間情報を更新して、現在位置の経度を検出（Ｓ１４０）し、前記ステップＳ１２０で検出した経度と比べ、現在位置が変更されたのかの可否を判断（Ｓ１５０）する。
【００４８】
前記ステップＳ１５０の判断結果、ステップＳ１２０で検出した経度とステップＳ１４０で検出した経度が同様で、現在位置の変更がないと、前記制御部１２０は、前記ステップＳ１３０で設定された色温度制御信号の出力を維持し、前記ステップＳ１２０で検出した経度とステップＳ１４０段階で検出した経度が同様でないで、現在位置が変更された場合、前記制御部１２０は、変更された現在位置での経度と本初子午線との角度差を分析して、現在設定された標準時間の変更の可否を判断Ｓ１６０する。
【００４９】
前記ステップＳ１６０の判断結果、ステップＳ１４０で検出した経度が、時間変更が要らない角度範囲であると、制御部１２０は、標準時間の変更なしに、前記ステップＳ１３０で設定された色温度制御信号の出力を維持し、前記ステップＳ１４０で検出した経度が、時間変更が不要な角度或は角度範囲であると、前記制御部１２０は、位置変更による時間差を反映した照明の色温度が変更されるように、色温度制御信号を、光源部１３０に出力（Ｓ１７０）する。
【００５０】
したがって、出発地と着地の間に時間差が発生される場合、移動する間、着地の標準時間に合うように、移動する経路上の現在位置によって、時間差の反映された色温度制御信号を光源部に出力し、照明装置によって、夜と昼の時間差による疲労感が減少できるようにする。
【００５１】
以上のように、本発明の好ましい実施例を参照しながら説明を行ったが、該当の技術分野に熟練されている当業者なら、下記の特許請求範囲に記載された本発明の思想及び領域から逸脱しない範囲内で、本発明を多様に修正及び変更できさせることが理解できることである。
【００５２】
また、本発明の実施形態を説明する過程において、図面に図示された線の厚さや構成要素の大きさなどは、説明の明瞭性と便宜上、誇張されるように図示されたもので、上述の用語は、本発明の中での機能を考慮し定義された用語として、これは使用者、運用者の意図または慣例により変わられることであり、このような用語についての定義は、本明細書の全般にわたった内容を基づき、限定されるものである。
【符号の説明】
【００５３】
１００  照明装置
１１０  衛星信号受信部
１１１  ＧＰＳ信号検出部
１１２  標準時間の検出部
１２０  制御部
１２１  位置分析部
１２２  色温度制御部
１３０  光源部
１３１  第１ＬＥＤモジュール
１３２  第２ＬＥＤモジュール
２００  人工衛星
【図１】
2017500723.tif 000003
【図２】
2017500723.tif 000004
【図３】
2017500723.tif 000005
【国際調査報告】
2017500723.tif 000006
2017500723.tif 000007
2017500723.tif 000008
2017500723.tif 000009